(57)【要約】本発明は、点火用装填物を具備するガス発生装置において温度ヒューズとして用いられる点火用組成物に関する。点火用組成物は、ガス発生装置に異常な熱が生じた際に点火用装填物がその自動点火温度に達する前に燃焼開始可能なように、ガス発生装置の点火用装填物の自動点火温度よりも低い自動点火温度を有する。当該点火用組成物は、計測可能で、且つ、ガス発生装置の適宜の支持部上に接着形式で配置可能であることを特徴とする。【特許請求の範囲】
【請求項１】
点火用装填物を具備するガス発生装置において温度ヒューズとして用いることが可能な点火用組成物であって、
前記ガス発生装置に異常な熱が生じた際に前記点火用装填物がその自動点火温度に達する前に燃焼開始可能なように、前記ガス発生装置の前記点火用装填物の自動点火温度よりも低い自動点火温度を有し、
エポキシ系及びポリブタジエン系のいずれかの結合剤を含み、
前記結合剤が当該点火用組成物の所定の量を占めることにより、計測可能で、且つ、前記ガス発生装置の適宜の支持部上に接着形式で配置可能であることを特徴とする点火用組成物。
【請求項２】
前記結合剤が、前記点火用組成物の全重量の１５％以上を占め、好ましくは前記点火用組成物の全重量の３０％未満であることを特徴とする請求項１に記載の点火用組成物。
【請求項３】
酸化剤及び還元剤の混合物を備えていることを特徴とする請求項１又は２に記載の点火用組成物。
【請求項４】
前記結合剤がエポキシ系であり、前記酸化剤が塩素酸アルカリ金属であり、前記還元剤が糖であることを特徴とする請求項３に記載の点火用組成物。
【請求項５】
前記エポキシ系の結合剤が前記点火用組成物の全重量の１８〜２２％を占めることを特徴とする請求項４に記載の点火用組成物。
【請求項６】
前記塩素酸アルカリ金属が、塩素酸ナトリウム及び塩素酸カリウムのいずれかであり、前記点火用組成物の全重量の３０〜５０％を占めることを特徴とする請求項４又は５に記載の点火用組成物。
【請求項７】
前記糖が前記点火用組成物の全重量の１５〜２５％を占めることを特徴とする請求項４〜６のいずれか一項に記載の点火用組成物。
【請求項８】
アルミニウム及び過塩素酸アルカリ金属を備えていることを特徴とする請求項４〜７のいずれか一項に記載の点火用組成物。
【請求項９】
前記アルミニウムが前記点火用組成物の全重量の５〜１５％を占めることを特徴とする請求項８に記載の点火用組成物。
【請求項１０】
前記過塩素酸アルカリ金属が、過塩素酸カリウムであり、前記点火用組成物の全重量の２０％未満の割合を占めることを特徴とする請求項８又は９に記載の点火用組成物。
【請求項１１】
酸化剤と前記酸化剤を分解する分解触媒とを備えていることを特徴とする請求項１又は２に記載の点火用組成物。
【請求項１２】
前記結合剤がエポキシ系であり、前記酸化剤が過塩素酸アンモニウムであり、前記分解触媒がフェロセン化合物であることを特徴とする請求項１１に記載の点火用組成物。
【請求項１３】
前記結合剤が前記点火用組成物の全重量の１５〜３０％を占めることを特徴とする請求項１２に記載の点火用組成物。
【請求項１４】
前記過塩素酸アンモニウムが前記点火用組成物の全重量の６０〜８８％を占めることを特徴とする請求項１２又は１３に記載の点火用組成物。
【請求項１５】
ガス生成用の点火用装填物を備えた点火式ガス発生装置であって、
自動点火可能な合成物を備え、前記合成物が、請求項１〜１４のいずれか一項に記載の、前記点火用装填物の自動点火温度よりも低い自動点火温度を有する点火用組成物を含むことを特徴とするガス発生装置。
【発明の詳細な説明】
【技術分野】
【０００１】
本発明は、点火式ガスの生成に関し、より詳細には、異常高温時に予防目的としてガス発生装置を作動させる自動点火用組成物に関する。
【背景技術】
【０００２】
ガス発生装置は、主装填物と称される点火式ガス生成のための装填物を起爆することによって、非常に短時間で多量のガスを発生させ、保護バッグ等を膨張させることができる。例えば発火による急激な温度上昇の間、ガス発生装置の点火用の装填物が正常に燃焼せずに激しい反応又は爆発を起こし、近くに居る人に重大な危険性を及ぼす場合がある。異常な加熱に起因した上記のような偶発的且つ抑制不可能なガス発生装置の起爆を防止するため、ガス発生装置の主装填物がその自動点火温度に達する前に、温度ヒューズとして機能する点火用組成物が主装填物の反応を引き起こす。点火用組成物が温度ヒューズとしての機能を十分に発揮するには、多くの基準を満たさなければならない。基準は一般に以下の通りである。
・温度ヒューズとして機能する点火用組成物の自動点火温度は、ガス発生装置の組成物の自動点火温度よりはるかに低くなければならい。
・点火用組成物は、ガス発生装置の組成物が作用する前に再現可能な方法で自動点火が行われるよう、好適な熱伝導領域に再現可能に配置されなければならない。
・点火用組成物は、低重量（一般に２００ｍｇ（ミリグラム）未満）の場合、ガス発生装置の正常な機能に影響が及ぶのを抑制しつつそれ自体が起爆するのに十分な、高い反応エンタルピーを有さなければならない。
【０００３】
上記のような特徴に加え、点火用組成物は、ガス発生装置用としての機械的性能テスト及び熱的性能テストの全てをパスし、且つ、例えば生成ガスの弾道学的特性又は毒性に関してガス発生装置の正常な機能への影響ができる限り抑えられるものでなくてはならない。
【０００４】
温度ヒューズとして用いられる組成物の多くは上記の第１及び第３の基準を満たす。これは米国特許第６４５２８１６号公報に記載の温度ヒューズとして用いられる点火用組成物にも該当し、当該点火用組成物は、金属酸化物等の合成物と、シュウ酸塩、ペルオキソ二硫酸塩、過マンガン酸塩、硝酸塩、スルファミン酸塩等から選択された合成物とを備えている。当該点火用組成物は、オキシニトロトリアゾロン（oxynitrotriazolone: ＯＮＴＡ）や硝酸グアニジン等の爆発物質を備えてよい。上記公報に記載の点火用組成物は、結合剤を任意に使用して、ガス発生装置の主充填物と混合されてよい。この場合、点火用組成物は、ガス発生装置の主装填物の全重量の０．１〜２０％、好ましくは０．１〜５％を占めてよい。上記特許文献はまた、温度ヒューズとして用いられる点火用組成物が主装填物と隔離されてもよいとしている。この場合、点火用組成物は、ガス発生装置が異常な熱を生じた際に主装填物の前に爆発可能なように、特に熱的に露出されていなければならない。また、点火用組成物は粒状であってよい。
【発明の開示】
【発明が解決しようとする課題】
【０００５】
上記特許文献は、例えば粒状の点火用組成物が熱的に露出された領域に配置されなければならないと強調している。しかしながら上記特許文献は、粒状体を組み込む手段について一切述べていない。これは、自動点火に関するガス発生装置の機能及びそのコストに大きな影響を及ぼすため、重要な事項である。粒状の組成物の場合、実際には、温度ヒューズとしての機能の再現性を得ることは困難である。
【０００６】
米国特許５８３４６７９号公報には、温度ヒューズとして用いられる組成物が示されている。
・組成物は、水溶性溶媒又は有機溶媒等の補助剤を用いることにより、計測可能で且つ配置可能である。溶媒は組成物の配置を可能にするが、（当該溶媒は除去され、配置された組成物は乾燥されなければならないため）配置自体をより困難にしてしまう。また、水溶性溶媒は、（上記米国特許文献では保護層の使用を想定しているので）腐食に伴う問題を引き起こす可能性があり、有機溶媒は、面倒な揮発性有機化合物（ＶＯＣ）の取り扱いを伴う。
・組成物には少量の結合剤が用いられている（結合剤は最大で組成物の重量の５％であるが、その程度の量では適切な結合を実現し得ない）。
【０００７】
本発明の目的は、ガス発生装置において温度ヒューズとして使用され、ガス発生装置に容易に組み込むことが可能で、且つ、ガス発生装置の自動点火の間完全に再現可能な反応をする点火用組成物を提供することである。
【課題を解決するための手段及び効果】
【０００８】
上記目的は、点火用装填物を具備するガス発生装置において温度ヒューズとして用いることが可能な点火用組成物であって、ガス発生装置に異常な熱が生じた際に点火用装填物がその自動点火温度に達する前に燃焼開始可能なように、ガス発生装置の点火用装填物の自動点火温度よりも低い自動点火温度を有し、エポキシ系及びポリブタジエン系のいずれかの結合剤を含み、結合剤が当該点火用組成物の所定の量を占めることにより、計測可能で、且つ、ガス発生装置の適宜の支持部上に接着形式で配置可能であることを特徴とする点火用組成物により実現される。
【０００９】
本発明によると、点火用組成物自体が（溶媒を付加的に使用しなくても）計測可能で且つ接着形式で配置可能であるので、特別な組み込み手段を用いることなく点火用組成物をガス発生装置に容易に配置することができる。
【００１０】
本発明に係る点火用組成物は、例えば、投与装置を用いてガス発生装置内の所望の位置に所望の量だけ接着形式で配置されることにより、当該組成物が載置される支持部との良好な熱的接触を実現することができる。ガス発生装置の熱伝導性金属部に対する点火用組成物の良好な熱的接触と結合可能性とによって、既存の解決手段を用いたガス発生装置に比べ、ガス発生装置の自動点火に関する機能が向上する。本発明の解決手段は、得られた組成物が高い自動点火温度を有し、その温度が粒状体又は粉末の自動点火温度より高い場合であっても、適切に機能し得る。
【００１１】
本発明に係る点火用組成物は、自動車用安全装置に使用される既存の組成物とは機能的特徴において異なっている。本発明に係る点火用組成物は、自動車用安全装置に関する所定の基準を満たさなくてよい。例えば上記基準としては、特定の燃焼率を有するかの検査、低毒性ガスを得る必要度、等が挙げられる。本発明に係る点火用組成物は以下の事項を満たすのみでよい。
・ガス発生装置への熱応力及び機械的応力に対する耐性を有する。
・ガス発生装置内にあるガス生成用の点火用装填物との適合性を有する。
・できる限り低い自動点火温度を有する。
【００１２】
本発明に係る点火用組成物は、１１０℃で完全に安定化し、１１０℃よりも高く且つできるだけ１１０℃に近い温度Ｔ（本発明の検査用組成物のほとんどで１５５℃〜１８５℃）を超えると急速に発熱反応する。１１０℃という温度は、自動車用安全装置に使用される組成物において定期的に行われる安定度試験の温度に対応する。
【００１３】
本発明に係る点火用組成物は、当該点火用組成物に含まれる結合剤の性質と当該点火用組成物における結合剤の量とによって特徴付けられている。結合剤は、エポキシ化合物系及びブタジエン系（架橋結合可能な結合剤、熱硬化性結合剤等）から選択される。結合剤の量は、（溶媒を使用しなくても）点火用組成物が計測可能で且つ接着形式で配置可能となるような量である。結合剤は、接着剤として確実に機能する量だけ使用される。
【００１４】
点火用組成物において、結合剤は以下の３つの役割を担う。
・装填物を結合させる。
・点火反応に積極的に関与する。
・ガス発生装置の支持部への接着剤として機能する（支持部上に直接設けられる。保護層及び／又は保持層を推測的に設ける必要がない）。
【００１５】
上記目的を実現するため、結合剤は、概して点火用組成物の全重量の少なくとも１５％を占める。
【００１６】
結合剤は、点火用組成物の全重量の３０％未満を占めることが好ましく、さらには、点火用組成物の全重量の２５％未満を占めることがより好ましい。いずれの場合においても、結合剤は、点火用組成物における所望の燃焼特性と適合する適宜の量が使用される。
【００１７】
結合剤の量は、結合剤の厳密な性質に応じて変化する。結合剤を選択する際の重要な基準は、装填物の量に対する混合実現性、１１０℃での装填物との適合性、及び、低質量の場合にガス発生装置の組成物を起爆させつつ活発な燃焼を得ることである。
【００１８】
点火用組成物は、ガス発生装置の支持部に配置された後、架橋結合によって硬化する。
【００１９】
本発明によると、結合剤は、接着因子として機能し、且つ、還元剤として点火用組成物の燃焼に関与するが、低温の自動点火温度に到達することには影響を及ぼさない。低温の自動点火温度は、装填物が結合剤に取り込まれることによって得られる。
【００２０】
本発明の第一の例において、点火用組成物は酸化剤及び還元剤の混合物を備えている。当該酸化剤及び還元剤の混合物は、自動点火温度を正確に取得可能なものでなくてはならない。
【００２１】
上記第一の例のより好ましい変形例では、結合剤がエポキシ系であり、酸化剤が塩素酸アルカリ金属であり、還元剤が糖である。この変形例では、塩素酸アルカリ金属と糖との組合せによって十分な自動点火温度が得られる。
【００２２】
上記変形例の一の特徴によると、例えばエポキシ樹脂の結合剤は、点火用組成物の全重量の１８〜２２％を占める。
【００２３】
さらなる特徴として、上記塩素酸アルカリ金属が、塩素酸ナトリウム及び塩素酸カリウムのいずれかであり、点火用組成物の全重量の３０〜５０％を占める。
【００２４】
さらなる特徴として、上記糖が点火用組成物の全重量の１５〜２５％を占める。
【００２５】
上記変形例のさらなる特徴として、点火用組成物がアルミニウム及び過塩素酸アルカリ金属を備えている。これにより、燃焼が促進され、熱量が増加する。
【００２６】
さらなる特徴として、上記アルミニウムが点火用組成物の全重量の５〜１５％を占める。
【００２７】
さらなる特徴として、上記過塩素酸アルカリ金属が、過塩素酸カリウムであり、点火用組成物の全重量の２０％未満の割合を占める。
【００２８】
本発明の第２の例において、点火用組成物は酸化剤と当該酸化剤を分解する分解触媒とを備えている。
【００２９】
上記第２の例の一の特徴によると、結合剤がエポキシ樹脂であり、酸化剤が過塩素酸アンモニウムであり、分解触媒がフェロセン化合物である。
【００３０】
さらなる特徴として、上記エポキシ樹脂が、点火用組成物の全重量の１５〜３０％を占め、より好ましくは点火用組成物の全重量の１６〜２５％を占める。
【００３１】
さらなる特徴として、上記過塩素酸アンモニウムが点火用組成物の全重量の６０〜８８％を占め、より好ましくは点火用組成物の全重量の６８〜８８％を占める。
【００３２】
本発明はまた、温度ヒューズとして機能する組成物を特に熱的に露出された領域に容易に組み込むことができるガス発生装置を提供する。
【００３３】
上記目的は、例えば保護バッグを膨張させることが可能なガス生成用の点火用装填物を備えた点火式ガス発生装置であって、自動点火可能な合成物を備え、当該合成物が、上記例のいずれかによって定義される、上記点火用装填物の自動点火温度よりも低い自動点火温度を有する組成物を含むことを特徴とするガス発生装置により実現される。
【発明を実施するための最良の形態】
【００３４】
本発明は、以下の実施例に示されている。
【００３５】
【表１】
2007537123.tif 000002
【００３６】
結合剤と様々な粒径の過塩素酸アンモニウムとの混合によって、出発原料の混合過程で得られるペーストの流動性が、沈着の必要度に適したものとなり、且つ、耐用年数に亘って点火用組成物を保管するのに適したものとなる。
【００３７】
実施例１に係る点火用組成物の温度ヒューズの観点に関する重要な特徴は平均して以下のとおりである。
・５℃／分で漸進的に加熱した場合の自動点火温度は１８０〜１９０℃
・５℃／分で示差走査熱量測定（ＤＳＣ：differential scanning calorimetry）を行った場合の分解ピークは１８０℃
・真空安定性テストにおいて得られた熱平衡は１１０℃
・機能は１０７℃の温度下で４００時間維持された。
【００３８】
実施例１では、分解触媒を用いて過塩素酸アンモニウムの分解温度を低減することにより、自動点火温度が得られた。燃焼の間、エポキシ系結合剤は還元剤として機能した。
【００３９】
【表２】
2007537123.tif 000003
【００４０】
実施例２に係る点火用組成物の温度ヒューズの観点に関する重要な特徴は平均して以下のとおりである。
・５℃／分で漸進的に加熱した場合の自動点火温度は１７８〜１８５℃
・５℃／分で示差走査熱量測定を行った場合の分解ピークは１８０℃
・真空安定性テストにおいて得られた熱平衡は１１０℃
・機能は１０７℃の温度下で４００時間維持された。
【００４１】
実施例２では、結合剤が無い場合略１６０℃で自動発火する塩素酸塩・糖の化合物を用いることにより、自動点火温度が得られた。塩素酸ナトリウムは塩素酸カリウムに置換されてよい。
【００４２】
塩素酸塩が結合剤で覆われることで、過塩素酸アンモニウム等のアンモニウムイオンを基礎とした酸化剤と良好な適合性を有する組成物が生成された。
【００４３】
上記実施例１及び２で用いられる示差走査熱量測定は、プログラム化された温度上昇率（実施例１及び２では５℃／分）に応じて物質により放出又は吸収される熱を測定可能な温度分析方法である。この方法によると、例えば、比熱、反応エンタルピー、又は相変化エネルギーを測定可能である。
【国際調査報告】
2007537123.tif 000004
2007537123.tif 000005
2007537123.tif 000006
2007537123.tif 000007
2007537123.tif 000008
2007537123.tif 000009
2007537123.tif 000010
2007537123.tif 000011
2007537123.tif 000012
2007537123.tif 000013